(57)【要約】【課題】  液晶装置等の電気光学装置において、静電気に対する耐性を向上させる。【解決手段】  電気光学パネルの駆動回路は、複数の電源線と、信号線と、駆動手段と、保護回路とを備える。駆動手段は、電源回路から複数の電源線を介して電源が供給され、信号線を介して入力される各種信号に基づいて電気光学パネルを駆動する。保護回路は、複数の電源線のうち少なくとも２本の相異なる電位が供給される電源線間に設けられており、該２本の電源線のうち一方に印加された静電気を他方へ逃がす電気経路を提供する。【選択図】      図２
2005049637.tif 000002
【特許請求の範囲】
【請求項１】
電源回路から複数の電位の電源が供給されると共に該供給される電源を用いて画像表示領域に複数の画素部が設けられた電気光学パネルを駆動する駆動回路であって、
前記電源回路から前記電源が供給される複数の電源線と、
前記電気光学パネルを駆動するために各種信号が供給される信号線と、
前記複数の電源線を介して前記電源が供給され、前記信号線を介して入力される前記各種信号に基づいて前記電気光学パネルを駆動する駆動手段と、
前記複数の電源線のうち少なくとも２本の相異なる電位が供給される電源線間に設けられており、該２本の電源線のうち一方に印加された静電気を他方へ逃がす電気経路を提供することで、前記駆動手段を前記静電気から保護する保護回路と
を備えたことを特徴とする駆動回路。
【請求項２】
前記保護回路は、前記２本の電源線に前記静電気が印加された際に、前記２本の電源線上における複数の電位の高低関係が、予め設定された関係に維持されるように通電することで、前記駆動手段を保護することを特徴とする請求項１に記載の駆動回路。
【請求項３】
前記保護回路は、前記電気経路の少なくとも一部として設けられたダイオード又はダイオード接続された半導体素子を含むことを特徴とする請求項２に記載の駆動回路。
【請求項４】
前記保護回路は、Ｎ型トランジスタ又はＰ型トランジスタ若しくはＰＩＮ接合型トランジスタを含んでなることを特徴とする請求項３に記載の駆動回路。
【請求項５】
前記保護回路は、前記電気経路の少なくとも一部として設けられた抵抗器を含むことを特徴とする請求項１から４のいずれか一項に記載の駆動回路。
【請求項６】
前記抵抗器の抵抗値は、前記２本の電源線間に流れる電流値が、前記供給される電源として消費される電流値の１０％以下となるように設定されていることを特徴とする請求項５に記載の駆動回路。
【請求項７】
前記２本の電源線は、前記複数の電源線のうち最高電位の電源を供給する最高電源線及び最低電位の電源を供給する最低電源線のうち少なくとも一方を含み、
前記電気経路は、前記最高電源線へ通ずる経路及び前記最低電位線へ通ずる経路のうち少なくとも一方を含むことを特徴とする請求項１から６のいずれか一項に記載の駆動回路。
【請求項８】
前記保護回路は、前記電気経路を提供することで、前記駆動手段に加えて又は代えて前記電気光学パネルを保護することを特徴とする請求項１から７のいずれか一項に記載の駆動回路。
【請求項９】
前記保護回路は、前記駆動手段の入力端子側及び出力端子側のうち少なくとも一方において前記信号線に印加された静電気を逃がす他の電気経路を提供することで、前記駆動手段を前記信号線に印加された静電気から保護することを特徴とする請求項１から８のいずれか一項に記載の駆動回路。
【請求項１０】
前記保護回路は更に、前記複数の電源線のうち少なくとも１本と前記駆動手段又は前記信号線間に設けられており、該少なくとも１本と前記駆動手段又は前記信号線とのうち一方に印加された静電気を他方へ逃がす電気経路を提供することで、前記駆動手段を前記静電気から保護することを特徴とする請求項１から９のいずれか一項に記載の駆動回路。
【請求項１１】
請求項１から１０のいずれか一項に記載の駆動回路と前記電気光学パネルを備えたことを特徴とする電気光学装置。
【請求項１２】
請求項１１に記載の電気光学装置を具備することを特徴とする電子機器。
【請求項１３】
(i)電源回路から電源が供給される複数の電源線と(ii)画像表示領域に複数の画素部が設けられた電気光学パネルを駆動するために各種信号が供給される信号線と(iii)前記複数の電源線を介して供給された電源を用いて前記信号線を介して入力された前記各種信号に基づいて前記電気光学パネルを駆動する駆動手段とを備えた駆動回路を保護する駆動回路の保護方法であって、
前記複数の電源線のうち少なくとも２本の相異なる電位が供給される電源線間に、該２本の電源線のうち一方に印加された静電気を他方へ逃がす電気経路を提供することで、前記駆動手段を前記静電気から保護することを特徴とする駆動回路の保護方法。
【発明の詳細な説明】
【技術分野】
【０００１】
本発明は、例えば液晶パネル等の電気光学パネルを駆動する駆動回路及びその保護方法、該電気光学パネル及び駆動回路を備えてなる例えば液晶装置等の電気光学装置、並びに該電気光学装置を備えてなる例えば液晶プロジェクタ等の電子機器の技術分野に関する。
【背景技術】
【０００２】
この種の駆動回路は、例えば外部からの電源供給を受けて走査線やデータ線を駆動する内蔵回路として電気光学パネルの基板に作り込まれたり、或いは外付けＩＣ回路として該基板に後付けされたりする。このような駆動回路の劣化又は破壊の要因としては、駆動回路或いはこれを備える電気光学装置の製造工程における実装時或いは組み立て時、出荷時や貯蔵時、更には出荷後の製品使用時などにおける、温度及び湿度、機械的な衝撃の付加等に加え、特に電気光学装置の組み立て時又は運搬時に問題となる静電気放電のストレスによる破壊、即ち静電破壊が挙げられる。組み立て時等に駆動回路或いは電気光学装置の周辺で静電気が発生し、これが駆動回路に接続された配線に印加されると、駆動回路が劣化又は破壊される。この結果、製造における歩留まり低下及び出荷後における装置故障を招いてしまう。
【０００３】
そこで、このような静電気による駆動回路の劣化又は破壊を防止するために、保護回路が、駆動回路の信号入出力に関係する信号経路に設けられる（例えば、特許文献１から５参照）。より具体的には、保護回路は、例えば駆動回路外部からクロック信号、反転クロック信号、スタートパルス等の各種信号が入力される入力端子に対して入力保護回路として設けられる。或いは、走査信号、エンドパルス等の駆動回路外部への各種信号が出力される出力端子に対して出力保護回路として設けられる。
【０００４】
【特許文献１】特開平３−５４４７５号公報
【特許文献２】特開平１１−２３１３４５号公報
【特許文献３】実開昭６４−３８２７号公報
【特許文献４】特開平８−２２０２４号公報
【特許文献５】特開平１０−３０３４３１号公報
【発明の開示】
【発明が解決しようとする課題】
【０００５】
上述したような駆動回路は、電源電圧によって駆動するので、駆動回路には、上述した信号経路の他に、該電源電圧を供給する電源線が電源供給経路として設けられている。しかしながら、前述したような保護回路は、クロック信号等の各種信号の入出力端子に対して設けられているが、電源供給経路には設けられていない。よって、このような駆動回路によれば、電気光学装置の組み立て時又は運搬時に電源供給経路に印加された静電気に対する内部回路の耐性が小さい。その結果、電源供給経路に印加された静電気によって駆動回路が劣化又は破壊される恐れがあるという問題点がある。
【０００６】
特に、電源線における配線容量が大きければ、係る問題は表面化しない可能性もある。しかしながら、近時における画質向上という一般的要請下で画素ピッチの微細化が進むに連れて或いは駆動周波数が高められるに連れて、電源線における配線容量が低下することで、係る問題は深刻さを増すものと考えられる。
【０００７】
本発明は、上記問題点に鑑み成されたものであり、静電気に対する耐性の優れた電気光学パネルの駆動回路及びその保護方法、これらを用いた電気光学装置、並びに、該電気光学装置を備えてなる各種電子機器を提供することを課題とする。
【課題を解決するための手段】
【０００８】
本発明の駆動回路は上記課題を解決するために、電源回路から複数の電位の電源が供給されると共に該供給される電源を用いて画像表示領域に複数の画素部が設けられた電気光学パネルを駆動する駆動回路であって、前記電源回路から前記電源が供給される複数の電源線と、前記電気光学パネルを駆動するために各種信号が供給される信号線と、前記複数の電源線を介して前記電源が供給され、前記信号線を介して入力される前記各種信号に基づいて前記電気光学パネルを駆動する駆動手段と、前記複数の電源線のうち少なくとも２本の相異なる電位が供給される電源線間に設けられており、該２本の電源線のうち一方に印加された静電気を他方へ逃がす電気経路を提供することで、前記駆動手段を前記静電気から保護する保護回路とを備える。
【０００９】
本発明の駆動回路によれば、その動作時には、駆動手段は、電源回路から複数の電源線を介して供給される複数の電位の電源によって電気光学パネルを駆動する。より具体的には、信号線から供給される各種信号に基づいて、例えば電気光学パネルを駆動するための駆動信号を生成し、生成した駆動信号を電気光学パネルに出力することによって、電気光学パネルを駆動する。
【００１０】
また、本発明の駆動回路では、例えば組み立て時や運搬時等に或いは動作時に駆動手段周辺で発生する静電気から、該駆動手段を保護する保護回路が、電源供給経路である複数の電源線に対して設けられている。よって、本発明の駆動回路によれば、複数の電源線上に印加された静電気に起因しており、複数の電源線同士間に発生する不慮の電圧を、保護回路が提供する電気経路を介して分散して除去することが可能となる。従って、本発明の駆動回路によれば、特に組み立て時や運搬時等に或いは動作時に発生して複数の電源線上に印加された静電気による、駆動手段の劣化又は破壊を防止することが可能となり、静電気に対する耐性を向上させることができる。
【００１１】
本発明の駆動回路の一態様では、前記保護回路は、前記２本の電源線に前記静電気が印加された際に、前記２本の電源線上における複数の電位の高低関係が、予め設定された関係に維持されるように通電することで、前記駆動手段を保護する。
【００１２】
この態様によれば、本発明の駆動回路の駆動時にも、保護回路は、該保護回路と対応する電源線上における複数の電位の高低関係が予め設定された関係に維持されるように通電する。よって、組み立て時等の非動作時及び動作時の双方において、保護回路による保護を実施しつつ保護回路による通電による悪影響を殆ど受けることなく、駆動手段によって電気光学パネルを駆動することが可能となる。
【００１３】
この、保護回路が該保護回路と対応する電源線上における複数の電位の高低関係が、予め設定された関係に維持されるように通電する態様では、前記保護回路は、前記電気経路の少なくとも一部として設けられたダイオード又はダイオード接続された半導体素子を含むように構成してもよい。
【００１４】
このように構成すれば、保護回路を比較的簡単な構成として提供することができる。より具体的には、保護回路において、ダイオードは次のように、当該保護回路と対応する電源線間に設けられるのが好ましい。当該保護回路と対応する２本の電源線のうち、相対的に低電位側の電源線にダイオードのアノード側が電気的に接続されると共に、相対的に高電位側の電源線にダイオードのカソード側が電気的に接続される。ダイオード接続された半導体素子も、ダイオードと同様に保護回路と対応する電源線間に設けられるのが好ましい。
【００１５】
そして、保護回路と対応する電源線のうち、組み立て時等の電源供給を受けない非動作時には、一方の低電位側の電源線に、通常不定或いは接地電位である高電位側の電源線の電位より高電位の静電気が印加された場合、該静電気はダイオード又は半導体素子によって、高電位側の電源線に放出される。また、保護回路と対応する電源線のうち、他方の高電位側の電源線に、通常不定或いは接地電位である低電位側の電源線の電位より低電位の静電気が印加された場合、該静電気はダイオード又は半導体素子によって、低電位側の電源線に放出される。よって、組み立て時等の非動作時に保護回路と対応する電源線上に印加された静電気を、保護回路の電気経路によって効率良く逃がすことが可能となる。更に、当該駆動回路の動作時には、即ち電源が供給されている状態では、一方の低電位側の電源線に、高電位側の電源線に供給される電源より高電位の静電気が印加された場合、該静電気はダイオード又は半導体素子によって、高電位側の電源線に放出される。また、保護回路と対応する電源線のうち、他方の高電位側の電源線に、低電位側の電源線に供給される電源より低電位の静電気が印加された場合、該静電気はダイオード又は半導体素子によって、低電位側の電源線に放出される。よって、動作時に保護回路と対応する電源線上に印加された静電気を、保護回路の電気経路によって効率良く逃がすことが可能となる。
【００１６】
或いは上述の保護回路が該保護回路と対応する電源線上における複数の電位の高低関係が、予め設定された関係に維持されるように通電する態様では、前記保護回路は、Ｎ型トランジスタ又はＰ型トランジスタ若しくはＰＩＮ接合型トランジスタを含んでなるように構成してもよい。
【００１７】
このように構成すれば、ダイオード接続された半導体素子を含む保護回路を、比較的簡単な構成として提供することができる。より具体的には、保護回路において、当該保護回路と対応する２本の電源線のうち、相対的に低電位側の電源線にトランジスタのソース電極及びゲート電極が電気的に接続されると共に、相対的に高電位側の電源線にトランジスタのドレイン電極が電気的に接続される。
【００１８】
また、本発明の駆動回路の他の態様では、前記保護回路は、前記電気経路の少なくとも一部として設けられた抵抗器を含む。
【００１９】
この態様によれば、保護回路において、抵抗器は当該保護回路と対応する２本の電源線の間に電気的に接続される。そして、これらのうち一方の電源線に印加された静電気を、他方の電源線に分散させて放出させる。よって、この態様においても、組み立て時等の非動作時及び動作時の双方において、保護回路と対応する電源線上に印加された静電気を、保護回路の提供する電気経路によって効率良く逃がすことができる。
【００２０】
この保護回路を抵抗器を含む構成とする態様では、前記抵抗器の抵抗値は、前記２本の電源線間に流れる電流値が、前記供給される電源として消費される電流値の１０％以下となるように設定して構成してもよい。
【００２１】
このように構成すれば、保護回路を抵抗器を含む構成としても、当該駆動回路の動作時において、駆動手段における駆動時の動作の妨げにならない。具体的には、電源線における電圧変化（例えば、高電位側の電圧降下、低電位側の電圧上昇）によって、駆動手段に対する電流異常とならない。
【００２２】
また、本発明の駆動回路の他の態様では、前記２本の電源線は、前記複数の電源線のうち最高電位の電源を供給する最高電源線及び最低電位の電源を供給する最低電源線のうち少なくとも一方を含み、前記電気経路は、前記最高電源線へ通ずる経路及び前記最低電位線へ通ずる経路のうち少なくとも一方を含む。
【００２３】
この態様によれば、保護回路は、対応する電源線上における電位を、電源回路から供給される電源のうち、最高電位の電源と同等の電位以下又は最低電位の電源と同等の電位以上として維持する。よって、この態様によれば、当該駆動回路の動作時において、複数の電源線上における電位を、最高電位の電源と同等の電位以下であって最低電位の電源と同等の電位以上に維持することが可能となる。
【００２４】
また、本発明の駆動回路の他の態様では、前記保護回路は、前記電気経路を提供することで、前記駆動手段に加えて又は代えて前記電気光学パネルを保護する。
【００２５】
この態様によれば、電気光学パネルは、複数の電源線を介して電源回路から供給される電源によって駆動する。よって、保護回路が提供する電気経路を介して、複数の電源線上に印加された静電気に起因する、該複数の電源線間に発生する電圧を分散させて除去することにより、駆動手段と同様に、該駆動手段に加えて又は代えて電気光学パネルを保護することも可能である。よって、この態様によれば、更に電気光学パネルの静電気に対する耐性も向上させることが可能となる。
【００２６】
また、本発明の駆動回路の他の態様では、前記保護回路は、前記駆動手段の入力端子側及び出力端子側のうち少なくとも一方において前記信号線に印加された静電気を逃がす他の電気経路を提供することで、前記駆動手段を前記信号線に印加された静電気から保護する。
【００２７】
この態様によれば、各種信号が供給される信号線上に印加された静電気が、更に駆動手段に印加されるのを防止することができる。よって、複数の電源線に加え信号線上に印加された静電気による、駆動手段の劣化又は破壊を防止することが可能となる。
【００２８】
本発明の駆動回路の他の態様では、前記保護回路は更に、前記複数の電源線のうち少なくとも１本と前記駆動手段又は前記信号線間に設けられており、該少なくとも１本と前記駆動手段又は前記信号線とのうち一方に印加された静電気を他方へ逃がす電気経路を提供することで、前記駆動手段を前記静電気から保護する。
【００２９】
この態様によれば、複数の電源線のうち少なくとも１本の電源線を選択して、該電源線上に印加された静電気に起因して、該電源線と駆動手段又は信号線との間に発生する不慮の電圧を、保護回路が提供する電気経路を介して除去することが可能となる。よって、複数の電源線のうち少なくとも１本の電源線を選択して、該電源線上に印加された静電気による劣化又は破壊を防止することが可能となる。
【００３０】
本発明の電気光学装置は上記課題を解決するために、上述した本発明の駆動回路（但し、その各種態様も含む）及び電気光学パネルを備える。
【００３１】
本発明の電気光学装置によれば、静電気に対する耐性を向上させることが可能となるため、電気光学装置の製造における歩留まりを向上させ、出荷後における装置故障を防止することができる。
【００３２】
本発明の電子機器は上記課題を解決するために、上述した本発明の電気光学装置（但し、その各種態様も含む）を具備してなる。
【００３３】
本発明の電子機器は、上述した本発明の電気光学装置を具備してなるので、製造における歩留まりを向上させ、出荷後における装置故障を防止するのが可能な、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置を実現することも可能である。
【００３４】
本発明の駆動回路の保護方法は上記課題を解決するために、 (i)電源回路から電源が供給される複数の電源線と(ii)画像表示領域に複数の画素部が設けられた電気光学パネルを駆動するために各種信号が供給される信号線と(iii)前記複数の電源線を介して供給された電源を用いて前記信号線を介して入力された前記各種信号に基づいて前記電気光学パネルを駆動する駆動手段とを備えた駆動回路を保護する駆動回路の保護法方であって、前記複数の電源線のうち少なくとも２本の相異なる電位が供給される電源線間に、該２本の電源線のうち一方に印加された静電気を他方へ逃がす電気経路を提供することで、前記駆動手段を前記静電気から保護する。
【００３５】
本発明の駆動回路の保護方法によれば、前述した本発明の駆動回路と同様に、複数の電源線上に印加された静電気による、駆動手段の劣化又は破壊を防止することが可能となり、静電気に対する耐性を向上させることができる。
【００３６】
本発明のこのような作用及び他の利得は次に説明する実施の形態から明らかにされる。
【発明を実施するための最良の形態】
【００３７】
以下、本発明の実施形態を図面に基づいて説明する。以下の実施形態は、本発明の電気光学装置を、ＴＦＴアクティブマトリクス駆動形式の液晶装置に適用したものである。
【００３８】
＜１；液晶装置の構成＞
先ず本発明に係る電気光学装置の全体構成について、図１を参照して説明する。図１は、本実施形態に係る液晶装置の全体構成を示すブロック図である。
【００３９】
図１に示すように、液晶装置１は、主要部として、本発明に係る「電気光学パネル」の一例たる液晶パネル１００、画像信号処理回路３００、タイミングジェネレータ４００、及び電源回路５００を備える。
【００４０】
液晶パネル１００は、その画像表示領域１１０に画素スイッチング用のスイッチング素子としてＴＦＴ１１６、画素電極等を形成した素子基板と、対向電極等を形成した対向基板とを、互いに電極形成面を対向させて且つ一定の間隙を保って貼付し、この間隙に液晶を挟持することで構成されている。
【００４１】
タイミングジェネレータ４００は、各部で使用される各種タイミング信号を出力するように構成されている。タイミングジェネレータ４００の一部であるタイミング信号出力手段により、最小単位のクロックであり各画素を走査するためのドットクロックが作成され、このドットクロックに基づいて、Ｙクロック信号ＹＣＫ、反転Ｙクロック信号ＹＣＫＢ、Ｘクロック信号ＸＣＫ、反転Ｘクロック信号ＸＣＫＢ、Ｙ転送開始パルスＤＹ及びＸ転送開始パルスＤＸが生成される。
【００４２】
画像信号処理回路３００は、外部から入力画像データが入力されると、この入力画像データに基づいて画像信号を生成して、この画像信号を画像信号供給線Ｌ１を介して液晶パネルに供給する。尚、この例では、説明を簡略化するため、画像信号は白黒の階調を表すものとするが、本発明はこれに限定されるものではなく、画像信号をＲＧＢ各色に対応するＲ信号、Ｇ信号、及びＢ信号から構成してもよい。この場合には、画像信号供給線を３本設ければよい。
【００４３】
電源回路５００は、複数の電位の電源を生成して液晶パネル１００に供給する。電源回路５００について詳細な説明は後述する。
【００４４】
本実施形態では特に、液晶パネル１００は駆動回路内蔵型であり、その素子基板上に、本発明に係る「駆動回路」の一例として、走査線駆動回路１３０及びデータ線駆動回路１５０を含む駆動回路１２０が構築されている。このような駆動回路１２０は、好ましくは、画像表示領域１１０に作り込まれる各画素に係るＴＦＴ１１６等と共に、素子基板の周辺領域に作り込まれる。但し、このような駆動回路は、少なくとも部分的に外付けＩＣとして構成され、周辺領域に後付けされてもよい。
【００４５】
液晶パネル１００は更に、その素子基板の中央を占める画像表示領域１１０に、縦横に配線されたデータ線１１４及び走査線１１２を備え、それらの交点に対応する各画素に、マトリクス状に配列された画素電極１１８及び画素電極１１８をスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００４６】
データ線駆動回路１５０は、画像信号供給線Ｌ１から供給される画像信号を各データ線１１４に順次供給する。ＴＦＴ１１６のソース電極には、データ線駆動回路１５０より画像信号が供給されるデータ線１１４が電気的に接続されている一方、ＴＦＴ１１６のゲート電極には、後述する走査信号が供給される走査線１１２が電気的に接続されるとともに、ＴＦＴ１１６のドレイン電極には、画素電極１１８が接続されている。そして、各画素部は、画素電極１１８と、対向基板に形成された共通電極と、これら両電極間に挟持された液晶とによって構成される結果、走査線１１２とデータ線１１４との各交点に対応して、マトリクス状に配列されることになる。
【００４７】
尚、保持された画像信号がリークするのを防ぐために、蓄積容量１１９が、画素電極１１８と対向電極との間に形成される液晶容量と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００４８】
＜２；走査線駆動回路の構成＞
次に、図２を参照して、駆動回路１２０における走査線駆動回路１３０の詳細な構成について説明する。図２は、走査線駆動回路１３０の構成を示すブロック図である。走査線駆動回路１３０の主要部は、Ｙ側シフトレジスタ１３１及びＹ側レベルシフタ１３２を含む構成となっている。尚、走査線駆動回路１３０において、Ｙ側シフトレジスタ１３１及びＹ側レベルシフタ１３２によって、本発明に係る「駆動手段」が構成される。
【００４９】
Ｙ側シフトレジスタ１３１には、タイミングジェネレータ４００からＹクロック信号ＹＣＫ、反転Ｙクロック信号ＹＣＫＢ、及びＹ転送開始パルスＤＹが入力される。Ｙ側シフトレジスタ１３１は、Ｙ転送開始パルスＤＹが入力されると、Ｙクロック信号ＹＣＫ及び反転Ｙクロック信号ＹＣＫＢに同期して、Ｙ側転送パルスＹＰ１、ＹＰ２、ＹＰ３、・・・、ＹＰｍ−１、ＹＰｍを順次生成する。尚、図２には図示しないが、Ｙ側シフトレジスタ１３１は、ｍ本の走査線１１２に対応してｍ段より構成されており、第１段目から第ｍ段目に向かう方向で、各段よりＹ側転送パルスＹＰ１、ＹＰ２、ＹＰ３、・・・、ＸＰｍ−１、ＹＰｍが順次出力される。そして、Ｙ側シフトレジスタ１３１の最終段より、Ｙ側転送パルスＹＰｍが当該Ｙ側シフトレジスタ１３１のＹ側エンドパルスＹＥＰとしても出力される。
【００５０】
また、図２に示すようにＹ側レベルシフタ１３２は、ｍ本の走査線１１２に対応してｍ段より構成されており、各段は増幅回路１３２ａ（ｉ）（但し、ｉ＝１、２、・・・、ｍ）を含む構成となっている。Ｙ側シフトレジスタ１３１から順次出力されるＹ側転送パルスＹＰ１、ＹＰ２、ＹＰ３、・・・、ＹＰｍ−１、ＹＰｍは、Ｙ側レベルシフタ１３２において増幅回路１３２ａ（１）、１３２ａ（２）、１３２ａ（３）、・・・、１３２ａ（ｍ−１）、１３２ａ（ｍ）に入力される。そして、Ｙ側レベルシフタ１３２から、夫々電圧レベルがレベルシフトされたＹ側転送パルスＹＰ１、ＹＰ２、ＹＰ３、・・・、ＹＰｍ−１、ＹＰｍが、Ｙ側駆動信号Ｙ１、Ｙ２、Ｙ３、・・・、Ｙｍ−１、Ｙｍとして順次出力される。
【００５１】
ここで、走査線駆動回路１３０には、図１に示す電源回路５００より、第１Ｙ側電源ＶＤＤＹ、第２Ｙ側電源ＶＳＳＹ、第３Ｙ側電源ＶＨＨＹ、及び第４Ｙ側電源ＶＬＬＹが供給される。即ち、図２に示すように、走査線駆動回路１３０には、第１Ｙ側電源ＶＤＤＹが供給される第１Ｙ側電源線５０１ａ、第２Ｙ側電源ＶＳＳＹが供給される第２Ｙ側電源線５０２ａ、第３Ｙ側電源ＶＨＨＹが供給される第３Ｙ側電源線５０３ａ、及び第４Ｙ側電源ＶＬＬＹが供給される第４Ｙ側電源線５０４ａを含むＹ側電源線群５１０ａが設けられている。
【００５２】
Ｙ側シフトレジスタ１３１は、図２に示すように、第１Ｙ側電源線５０１ａ及び第２Ｙ側電源線５０２ａに電気的に接続されている。即ち、Ｙ側シフトレジスタ１３１は、第１Ｙ側電源ＶＤＤＹ及び第２Ｙ側電源ＶＳＳＹによって駆動し、Ｙ側転送パルスＹＰ１、ＹＰ２、ＹＰ３、・・・、ＹＰｍ−１、ＹＰｍは、夫々第１Ｙ側電源ＶＤＤＹの電位及び第２Ｙ側電源ＶＳＳＹの電位間の電圧となる。
【００５３】
また、Ｙ側レベルシフタ１３２は、図２に示すように、第３Ｙ側電源線５０３ａ及び第４Ｙ側電源線５０４ａに電気的に接続されている。そして、Ｙ側レベルシフタ１３２において、各増幅回路１３２ａ（ｉ）は、第３Ｙ側電源ＶＨＨＹ及び第４Ｙ側電源ＶＬＬＹによって駆動する。即ち、Ｙ側レベルシフタ１３２によって、Ｙ側転送パルスＹＰ１、ＹＰ２、ＹＰ３、・・・、ＹＰｍ−１、ＹＰｍは夫々、第１Ｙ側電源ＶＤＤＹの電位及び第２Ｙ側電源ＶＳＳＹの電位間の電圧から、第３Ｙ側電源ＶＨＨＹの電位及び第４Ｙ側電源ＶＬＬＹの電位間の電圧へレベルシフトされる。
【００５４】
液晶装置１において、例えば液晶パネル１００の組み立て時又は運搬時などの非動作時に又は電源供給が行われている動作時に、特に駆動回路１２０或いはこれに接続された各種配線に静電気が発生した場合、該駆動回路のうち走査線駆動回路１３０を構成するＹ側シフトレジスタ１３１及びＹ側レベルシフタ１３２に発生した静電気が印加されると、Ｙ側シフトレジスタ１３１及びＹ側レベルシフタ１３２の一部又は全部が破壊又は劣化される恐れがある。
【００５５】
走査線駆動回路１３０には、特に当該走査線駆動回路１３０に外部から信号が入力される入力端子側、及び当該走査線駆動回路１３０より外部に信号が出力される出力端子側のうち少なくとも一方に対して保護回路が設けられる他、Ｙ側電源線群５１０ａに対しても保護回路が設けられる。図２には、入力端子側に対して設けられる保護回路をＹ側入力保護回路１３３として示し、出力端子側に対して設けられる保護回路をＹ側出力保護回路１３４として示し、Ｙ側電源線群５１０ａに対して設けられる保護回路をＹ側電源間保護回路１３５として示してある。
【００５６】
図２において、Ｙ側入力保護回路１３３は、例えばＹクロック信号ＹＣＫ、反転Ｙクロック信号ＹＣＫＢ、及びＹ転送開始パルスＤＹが入力される信号線に対して設けられると共に、Ｙ側エンドパルスＹＥＰが出力される信号線に対してＹ側出力保護回路１３４ａが設けられ、Ｙ側駆動信号Ｙ１、Ｙ２、Ｙ３、・・・、Ｙｍ−１、Ｙｍが出力される信号線に対してＹ側出力保護回路１３４ｂが設けられている。
【００５７】
尚、本実施形態では、Ｙ側電源線群５１０ａ及び後述するＸ側電源線群５１０ｂに対して一つの電源間保護回路が設けられてもよい。この場合の電源間保護回路の構成について詳細は後述する。
【００５８】
＜３；データ駆動回路の構成＞
次に、図３を参照して、駆動回路１２０におけるデータ線駆動回路１５０の詳細な構成について説明する。図３は、データ線駆動回路１５０の構成を示すブロック図である。データ線駆動回路１５０の主要部は、Ｘ側シフトレジスタ１５１及びＸ側レベルシフタ１５２を含む構成となっている。尚、データ線駆動回路１５０において、Ｘ側シフトレジスタ１５１及びＸ側レベルシフタ１５２によって、本発明に係る「駆動手段」が構成される。
【００５９】
Ｘ側シフトレジスタ１５１は、図２に示すＹ側シフトレジスタ１３１と同様の構成を有し、同様の動作を行う。Ｘ側シフトレジスタ１５１は、図３には図示しないが、ｎ本のデータ線１１４に対応してｎ段より構成されている。そして、タイミングジェネレータ４００からＸクロック信号ＸＣＫ、反転Ｘクロック信号ＸＣＫＢ、及びＸ転送開始パルスＤＸが入力されると、Ｘクロック信号ＸＣＫ及び反転Ｘクロック信号ＸＣＫＢに同期して、第１段目から第ｎ段目に向かう生成方向で、Ｘ側転送パルスＸＰ１、ＸＰ２、ＸＰ３、・・・、ＸＰｎ−１、ＸＰｎを順次生成する。また、Ｘ側シフトレジスタ１５１の最終段より、Ｘ側転送パルスＸＰｎがＸ側エンドパルスＸＥＰとしても出力される。
【００６０】
また、Ｘ側レベルシフタ１５２は図２に示すＹ側レベルシフタ１３２と同様の構成を有する。Ｘ側レベルシフタ１５２は、ｎ本のデータ線１１４に対応してｎ段より構成されており、各段は図２に示す増幅回路１３２ａ（ｉ）と同様の増幅回路１５２ａ（ｊ）（但し、ｊ＝１、２、・・・、ｎ）を含む構成となっている。そして、Ｘ側レベルシフタ１５２から、夫々電圧レベルがレベルシフトされたＸ側転送パルスＸＰ１、ＸＰ２、ＸＰ３、・・・、ＸＰｎ−１、ＸＰｎが、Ｘ側駆動信号Ｘ１、Ｘ２、Ｘ３、・・・、Ｘｎ−１、Ｘｎとして順次出力される。尚、データ線駆動回路１５０から画像信号は、Ｘ側レベルシフタ１５２からＸ側駆動信号Ｘ１、Ｘ２、Ｘ３、・・・、Ｘｎ−１、Ｘｎが夫々出力されるタイミングで、順次データ線１１４に供給される。
【００６１】
ここで、データ線駆動回路１５０には、図２に示す走査線駆動回路１３０と同様、電源回路５００より４種の電源が供給され、該４種の電源と対応する４種の電源線を含むＸ側電源線群５１０ｂが設けられている。
【００６２】
Ｘ側シフトレジスタ１５１は、電源回路５００より第１Ｘ側電源線５０１ｂ及び第２Ｘ側電源線５０２ｂを介して供給される第１Ｘ側電源ＶＤＤＸ及び第２Ｘ側電源ＶＳＳＸによって駆動する。よって、Ｘ側転送パルスＸＰ１、ＸＰ２、ＸＰ３、・・・、ＸＰｎ−１、ＸＰｎは、夫々第１Ｘ側電源ＶＤＤＸの電位及び第２Ｘ側電源ＶＳＳＸの電位間の電圧となる。
【００６３】
また、Ｘ側レベルシフタ１５２は、電源回路５００より第３Ｘ側電源線５０３ｂ及び第４Ｘ側電源線５０４ｂを介して供給される第３Ｘ側電源ＶＨＨＸ及び第４Ｘ側電源ＶＬＬＸによって駆動する。即ち、Ｘ側レベルシフタ１５２によって、Ｘ側転送パルスＸＰ１、ＸＰ２、ＸＰ３、・・・、ＸＰｎ−１、ＸＰｎは夫々、第１Ｘ側電源ＶＤＤＸの電位及び第２Ｘ側電源ＶＳＳＸの電位間の電圧から、第３Ｘ側電源ＶＨＨＸの電位及び第４Ｘ側電源ＶＬＬＸの電位間の電圧へレベルシフトされる。
【００６４】
更に、データ線駆動回路１５０にも、走査線駆動回路１３０と同様に、Ｘ側入力保護回路１５３、Ｘ側出力保護回路１５４、及びＸ側電源間保護回路１５５が設けられる。図３において、Ｘ側入力保護回路１５３は、例えばＸクロック信号ＸＣＫ、反転Ｘクロック信号ＸＣＫＢ、及びＸ転送開始パルスＤＸが入力される信号線に対して設けられると共に、Ｘ側エンドパルスＸＥＰが出力される信号線に対してＸ側出力保護回路１５４ａが設けられ、Ｘ側駆動信号Ｘ１、Ｘ２、Ｘ３、・・・、Ｘｎ−１、Ｘｎが出力される信号線に対してＸ側出力保護回路１５４ｂが設けられている。
【００６５】
＜４；保護回路の構成及び動作＞
次に、図２に示すＹ側入力保護回路１３３と、Ｙ側出力保護回路１３４ａ及び１３４ｂと、Ｙ側電源間保護回路１３５、並びに図３に示すＸ側入力保護回路１５３と、Ｘ側出力保護回路１５４ａ及び１５４ｂと、Ｘ側電源間保護回路１５５とについて、夫々構成及び動作を説明する。
【００６６】
尚、本実施形態では、電源回路５００から走査線駆動回路１３０に供給される４種の電源の電位は、第４Ｙ側電源ＶＬＬＹ、第２Ｙ側電源ＶＳＳＹ、第１Ｙ側電源ＶＤＤＹ、及び第３Ｙ側電源ＶＨＨＹの順に高くなるものとする。また、電源回路５００からデータ線駆動回路１５０に供給される４種の電源の電位は、第４Ｘ側電源ＶＬＬＸ、第２Ｘ側電源ＶＳＳＸ、第１Ｘ側電源ＶＤＤＸ、及び第３Ｘ側電源ＶＨＨＸの順に高くなるものとする。更に、電源回路５００から走査線駆動回路１３０及びデータ線駆動回路１５０に供給される８種の電源の電位は、第２Ｙ側電源ＶＳＳＹと第２Ｘ側電源ＶＳＳＸとが同等の電位であり、第１Ｙ側電源ＶＤＤＹと第１Ｘ側電源ＶＤＤＸとが同等の電位であると共に、第４Ｙ側電源ＶＬＬＹ、第４Ｘ側電源ＶＬＬＸ、第２Ｙ側電源ＶＳＳＹ（第２Ｘ側電源ＶＳＳＸ）、第１Ｙ側電源ＶＤＤＹ（第１Ｘ側電源ＶＤＤＸ）、第３Ｘ側電源ＶＨＨＸ、及び第３Ｙ側電源ＶＨＨＹの順に高くなるものとする。
【００６７】
ここで、先ず、図４を参照して駆動回路１２０の外観的な構成について説明する。図４には、図２及び図３を参照して説明した各保護回路が設けられた駆動回路１２０の概略的なレイアウト図を示してある。
【００６８】
図４には、図２又は図３を参照して説明した、本発明の駆動手段を構成する各回路に符号６０２を付して示してあり、また、図２又は図３を参照して説明した、入力保護回路及び出力保護回路をひとつの入出力保護回路６０６ａ及び６０６ｂとして示してある。図４に示すように、入出力保護回路６０６ａ及び６０６ｂには、信号の入力側及び出力側に後述するダイオード又はダイオード接続された半導体素子によって構成される保護抵抗回路６０７ａ及び６０７ｂが設けられる。
【００６９】
また、図４に示すように、電源間保護回路６０４と、入出力保護回路６０６ａ及び６０６ｂは、駆動回路１２０において駆動手段６０２の周辺領域に設けられている。即ち、本実施形態によれば、電源間保護回路６０４と、入出力保護回路６０６ａ及び６０６ｂとを、駆動回路１２０の周辺領域に設けることが可能であるため、これら各保護回路を設けるための領域について省スペース化を図ることができる。
【００７０】
＜４−１；入力保護回路及び出力保護回路＞
先ず、図２に示すＹ側入力保護回路１３３と、Ｙ側出力保護回路１３４ａ及び１３４ｂとについて、夫々構成及び動作を、図２に加えて図５を参照して説明する。
【００７１】
図２において、Ｙ側入力保護回路１３３は、Ｙクロック信号ＹＣＫ、反転Ｙクロック信号ＹＣＫＢ、及びＹ転送開始パルスＤＹが入力される入力端子に電気的に接続する信号線に対して設けられており、該信号線に印加された静電気を逃がす電気経路を提供することで、Ｙ側シフトレジスタ１３１を保護する。
【００７２】
Ｙ側出力保護回路１３４ａはＹ側エンドパルスＹＥＰが出力される出力端子に電気的に接続する信号線に対して設けられており、該信号線に印加された静電気を逃がす電気経路を提供することで、Ｙ側シフトレジスタ１３１を保護する。また、Ｙ側出力保護回路１３４ｂは、Ｙ側出力保護回路１３４ａと同様、Ｙ側駆動信号Ｙ１、Ｙ２、Ｙ３、・・・、Ｙｍ−１、Ｙｍが出力される信号線に対して設けられており、該信号線に印加された静電気を逃がす電気経路を提供する。Ｙ側出力保護回路１３４ｂによって、図１に示す画像表示領域１１０における各画素部を保護する。
【００７３】
本実施形態では、Ｙ側入力保護回路１３３と、Ｙ側出力保護回路１３４ａ及び１３４ｂにおいて、上述した電気経路は互いに同様の構成とする。図５（ａ）に、Ｙ側入力保護回路１３３と、Ｙ側出力保護回路１３４ａ及び１３４ｂにおける電気経路の構成の一例を示し、図５（ｂ）に該電気経路の構成の他の例を示す。
【００７４】
図５（ａ）には、信号の入力端子又は信号の出力端子を端子５１２として示してある。また、端子５１２に電気的に接続された信号線５１３と対応するＹ側シフトレジスタ１３１の内部回路又はＹ側レベルシフタ１３２における増幅回路１３２ａ（ｉ）を示す構成要素に５１５を付して示してある。即ち、図５（ａ）に示す回路５１５は、Ｙ側シフトレジスタ１３の内部回路の構成、及びＹ側レベルシフタ１３２における増幅回路１３２ａ（ｉ）の構成を示すものではなく、その電気的な接続関係を示すものである。
【００７５】
図５（ａ）において、電気経路５１４は２つのダイオード５１４ａ及び５１４ｂを用いて構成されている。
【００７６】
ここで、図２において、Ｙ側入力保護回路１３３、及びＹ側エンドパルスＹＥＰが出力される信号線に対応するＹ側出力保護回路１３４ａは、第１Ｙ側電源線５０１ａ及び第２Ｙ側電源線５０２ａ間に設けられており、Ｙ側駆動信号Ｙ１、Ｙ２、Ｙ３、・・・、Ｙｍ−１、Ｙｍが出力される信号線に対応するＹ側出力保護回路１３４ｂは、第３Ｙ側電源線５０３ａ及び第４Ｙ側電源線５０４ａ間に設けられている。
【００７７】
本実施形態では、Ｙ側入力保護回路１３３によって提供される電気経路及びＹ側出力保護回路１３４ａによって提供される電気経路は、第１Ｙ側電源線５０１ａ及び第２Ｙ側電源線５０２ａ間に設けられている。また、Ｙ側出力保護回路１３４ｂによって提供される電気経路は、第３Ｙ側電源線５０３ａ及び第４Ｙ側電源線５０４ａ間に設けられている。図５（ａ）には、電気経路５１４が第１Ｙ側電源線５０１ａ及び第２Ｙ側電源線５０２ａ間に設けられる構成を示してある。
【００７８】
より具体的には、電気経路５１４において、２つのダイオード５１４ａ及び５１４ｂのうち一方のダイオード５１４ａは、アノード側が信号線５１３に電気的に接続されており、カソード側が第１Ｙ側電源線５０１ａに電気的に接続される。また、電気経路５１４において、他方のダイオード５１４ｂは、アノード側が第２Ｙ側電源線５０２ａに電気的に接続されており、カソード側が信号線に電気的に接続される。
【００７９】
そして、端子５１２より信号線５１３に、第１Ｙ側電源ＶＤＤＹの電位より高電位の静電気が印加された場合、電気経路５１４において、矢印Ａ１に示すように、２つのダイオード５１４ａ及び５１４ｂのうち一方のダイオード５１４ａによって、静電気は信号線５１３から第１Ｙ側電源線５０１ａに放出される。また、端子５１２より信号線５１３に、第２Ｙ側電源ＶＳＳＹの電位より低電位の静電気が印加された場合、電気経路５１４において、矢印Ａ２に示すように、他方のダイオード５１４ｂによって、静電気は信号線５１３から第２Ｙ側電源線５０２ａに放出される。従って、端子５１２より信号線５１３に静電気が印加されても、該静電気を電気経路５１４によって信号線５１３から逃がすことが可能となり、該静電気の回路５１５への印加を防止することができる。
【００８０】
また、図５（ｂ）には、電気経路５１６が、第１Ｙ側電源線５０１ａ、第２Ｙ側電源線５０２ａ、及び信号線５１３に夫々ダイオード接続された２つのトランジスタ５１６ａ及び５１６ｂを用いて構成される例を示してある。より具体的には、電気経路５１６において、２つのトランジスタ５１６ａ及び５１６ｂのうち一方のトランジスタ５１６ａは、ソース電極が信号線５１３に電気的に接続され、ゲート電極及びドレイン電極が第１Ｙ側電源線５０１ａに電気的に接続されている。また、電気経路５１６において、他方のトランジスタ５１６ｂは、ドレイン電極が信号線５１３に電気的に接続され、ゲート電極及びソース電極が第２Ｙ側電源線５０２ａに電気的に接続されている。
【００８１】
よって、図５（ｂ）に示す電気経路５１６についても、図５（ａ）に示す電気経路５１４と同様の作用及び効果を得ることができる。
【００８２】
従って、本実施形態では、図５（ａ）に示す電気経路５１４及び図５（ｂ）に示す電気経路５１６のいずれか一方を提供するＹ側入力保護回路１３３によって、Ｙ側の入力信号線に印加された静電気が、更にＹ側シフトレジスタ１３１に印加されるのを防止することができる。また、このように、Ｙ側シフトレジスタ１３１に静電気が印加されるのを防止することにより、間接的にＹ側レベルシフタ１３２への静電気の印加をも防止することが可能となる。よって、走査線駆動回路１３０において、Ｙ側の入力信号線に印加された静電気による、Ｙ側シフトレジスタ１３１及びＹ側レベルシフタの劣化又は破壊を防止することが可能となる。また、Ｙ側エンドパルスＹＥＰが出力される信号線に対して設けられたＹ側出力保護回路１３４ａによっても、Ｙ側入力保護回路１３３と同様に、Ｙ側エンドパルスＹＥＰが出力される信号線に印加された静電気による、Ｙ側シフトレジスタ１３１及びＹ側レベルシフタの劣化又は破壊を防止することが可能となる。
【００８３】
更に、Ｙ側入力保護回路１３３及びＹ側出力保護回路１３４ａと同様に、Ｙ側駆動信号Ｙ１、Ｙ２、Ｙ３、・・・、Ｙｍ−１、Ｙｍが出力される信号線に対して設けられたＹ側出力保護回路１３４ｂによって、Ｙ側駆動信号Ｙ１、Ｙ２、Ｙ３、・・・、Ｙｍ−１、Ｙｍが出力される信号線に印加された静電気による、画像表示領域１１０における各画素部の劣化又は破壊を防止することが可能となる。
【００８４】
尚、本実施形態では、図３に示すＸ側入力保護回路１５３と、Ｘ側出力保護回路１５４ａ及び１５４ｂも夫々、Ｙ側入力保護回路１３３若しくはＹ側出力保護回路１３４ａ及び１３４ｂと同様の構成とすることが可能である。よって、Ｙ側と同様、Ｘ側についても、入力信号線又は出力信号線に印加された静電気による、Ｘ側シフトレジスタ１５１及びＸ側レベルシフタ１５２、或いは画像表示領域１１０における各画素部の劣化又は破壊を防止することが可能となる。
【００８５】
＜４−２；電源間保護回路＞
次に、図２に示すＹ側電源間保護回路１３５について、図６、図７及び図８を参照して構成及び動作を説明する。
【００８６】
先ず、図６を参照して、図２に示すＹ側電源線群５１０ａのうち２種の電源線、具体的には、第１Ｙ側電源線５０１ａ及び第２Ｙ側電源線５０２ａに電気的に接続されたＹ側シフトレジスタ１３１、又は第３Ｙ側電源線５０３ａ及び第４Ｙ側電源線５０４ａに電気的に接続されたＹ側レベルシフタ１３２を保護するＹ側電源間保護回路１３５について説明する。
【００８７】
図６（ａ）は、図５（ａ）に示す構成において、ダイオード５２０ａを含むＹ側電源間保護回路１３５を設けた構成を示してある。また、図６（ｂ）は、図５（ｂ）に示す構成において、ダイオード５２０ａの代わりにトランジスタ５２０ｂを含むＹ側電源間保護回路１３５を設けた構成を示してある。よって、図６（ａ）及び図６（ｂ）において、図５（ａ）及び図５（ｂ）と同様の構成については同一の符号を付して示し、その説明を省略する。
【００８８】
図６（ａ）に示すＹ側電源間保護回路１３５は、第１Ｙ側電源線５０１ａ及び第２Ｙ側電源線５０２ａ間に設けられており、第１Ｙ側電源線５０１ａ及び第２Ｙ側電源線５０２ａのうち一方に印加された静電気を他方へ逃がす電気経路５２０Ａを提供する。この電気経路５２０Ａは、第１Ｙ側電源線５０１ａ及び第２Ｙ側電源線５０２ａに電気的に接続されたダイオード５２０ａを含む構成となっている。
【００８９】
図６（ａ）において、ダイオード５２０ａのカソード側は第１Ｙ側電源線５０１ａに電気的に接続され、ダイオード５２０ａのアノード側は第２Ｙ側電源線５０２ａに電気的に接続される。
【００９０】
そして、第２Ｙ側電源線５０２ａに第１Ｙ側電源ＶＤＤＹより高電位の静電気が印加された場合、ダイオード５２０ａによって、静電気は第２Ｙ側電源線５０２ａから第１Ｙ側電源線５０１ａに放出される。また、第１Ｙ側電源線５０１ａに第２Ｙ側電源ＶＳＳＹより低電位の静電気が印加された場合、ダイオード５２０ａによって、静電気は第１Ｙ側電源線５０１ａから第２Ｙ側電源線５０２ａに放出される。従って、第１Ｙ側電源線５０１ａ及び第２Ｙ側電源線５０２ａに静電気が印加されても、第１Ｙ側電源線５０１ａ及び第２Ｙ側電源線５０２ａ同士間に発生する不慮の電圧を電気経路５２０Ａを介して分散して除去することが可能となる。
【００９１】
従って、Ｙ側電源間保護回路１３５によって、第１Ｙ側電源線５０１ａ及び第２Ｙ側電源線５０２ａ上に印加された静電気による、Ｙ側シフトレジスタ１３１の劣化又は破壊を防止することが可能となり、静電気に対する耐性を向上させることができる。
【００９２】
尚、Ｙ側電源間保護回路１３５がＹ側レベルシフタ１３２を保護する構成については、図６（ａ）に示すＹ側電源間保護回路１３５と同様である。よって、Ｙ側レベルシフタ１３２についても、第３Ｙ側電源線５０３ａ及び第４Ｙ側電源線５０４ａ上に印加された静電気による劣化又は破壊を防止することが可能となり、静電気に対する耐性を向上させることができる。
【００９３】
更に、Ｙ側電源間保護回路１３５は、液晶パネル１００の駆動時にも、Ｙ側電源線群５１０ａにおける４種の電位の高低関係が予め設定された関係に維持されるように、電気経路５２０Ａによって通電することが可能である。即ち、液晶パネル１００の駆動時にも、走査線駆動回路１３０は、Ｙ側電源間保護回路１３５による通電の影響を殆ど受けることなく動作することができる。
【００９４】
また、図６（ｂ）には、Ｙ側シフトレジスタ１３１を保護するＹ側電源間保護回路１３５が提供する電気経路５２０Ｂが、第１Ｙ側電源線５０１ａ及び第２Ｙ側電源線５０２ａにダイオード接続されたトランジスタ５２０ｂを含む構成を示してある。尚、Ｙ側電源間保護回路１３５がＹ側レベルシフタ１３２を保護する構成について、図６（ｂ）に示すＹ側電源間保護回路１３５と同様の構成としてもよい。
【００９５】
図６（ｂ）において、トランジスタ５２０ｂのドレイン電極は第１Ｙ側電源線５０１ａに電気的に接続され、トランジスタ５２０ｂのソース電極及びゲート電極は第２Ｙ側電源線５０２ａに電気的に接続される。そして、図６（ｂ）に示すトランジスタ５２０ｂによっても、図６（ａ）に示すダイオード５２０ａと同様の動作を行うことが可能である。よって、ダイオード５２０ａの代わりにトランジスタ５２０ｂを用いて電気経路５２０Ｂを構成しても、第１Ｙ側電源線５０１ａ及び第２Ｙ側電源線５０２ａ上に印加された静電気による、Ｙ側シフトレジスタ１３１の劣化又は破壊を防止することが可能となる。
【００９６】
尚、本実施形態では、図３に示すＸ側電源間保護回路１５５を、図６（ａ）及び図６（ｂ）を参照して説明したＹ側電源間保護回路１３５と同様の構成とすることが可能である。よって、Ｙ側と同様、Ｘ側についても、Ｘ側電源間保護回路１５５によってＸ側シフトレジスタ１５１及びＸ側レベルシフタ１５２の静電気に対する耐性を向上させることができるほか、液晶パネル１００の駆動時にも、データ線駆動回路１５０は、Ｘ側電源間保護回路１５５による通電の影響を殆ど受けることなく動作することができる。
【００９７】
加えて、液晶パネル１００は、Ｙ側電源線群５１０ａ及びＸ側電源線群５１０ｂを介して電源回路５００から供給される電源によって駆動する。よって、Ｙ側電源間保護回路１３５及びＸ側電源間保護回路１５５を用いて、Ｙ側電源線群５１０ａ又はＸ側電源線群５１０ｂ上に印加された静電気による、液晶パネル１００の一部又は全部の劣化又は破壊を防止することが可能となる。その結果、液晶パネル１００の静電気に対する耐性も向上させることが可能となる。
【００９８】
次に、図７を参照して、図２に示すＹ側電源線群５１０ａのうち４種の電源線に対して設けられたＹ側電源間保護回路１３５によって、第１Ｙ側電源線５０１ａ及び第２Ｙ側電源線５０２ａに電気的に接続されたＹ側シフトレジスタ１３１を保護する構成、及びその動作について説明する。
【００９９】
図７には、Ｙ側電源間保護回路１３５が４種のダイオードを含む単位回路を含む構成を示してある。尚、図７には、図５（ａ）と同様の構成を同一の符号を付して示してあるが、この構成について説明は省略する。
【０１００】
Ｙ側電源間保護回路１３５は、第２Ｙ側電源線５０２ａ及び第３Ｙ側電源線５０３ａの間と、第１Ｙ側電源線５０１ａ及び第３Ｙ側電源線５０３ａ間と、第２Ｙ側電源線５０２ａ及び第４Ｙ側電源線５０４ａ間と、第１Ｙ側電源線５０１ａ及び第４Ｙ側電源線５０４ａ間とに設けられている。
【０１０１】
図７に示す単位回路５３０Ａにおいて、第２Ｙ側電源線５０２ａ及び第３Ｙ側電源線５０３ａ間には高電位側のダイオード５３０ａａが設けられている。そして、このダイオード５３０ａａを用いて第２Ｙ側電源線５０２ａ及び第３Ｙ側電源線５０３ａのうち一方に印加された静電気を他方へ逃がす電気経路が提供される。
【０１０２】
また、単位回路５３０Ａにおいて、第１Ｙ側電源線５０１ａ及び第３Ｙ側電源線５０３ａ間には高電位側のダイオード５３０ａｂが設けられている。そして、このダイオード５３０ａｂを用いて第１Ｙ側電源線５０１ａ及び第３Ｙ側電源線５０３ａのうち一方に印加された静電気を他方へ逃がす電気経路が提供される。
【０１０３】
また、単位回路５３０Ａにおいて、第２Ｙ側電源線５０２ａ及び第４Ｙ側電源線５０４ａ間には低電位側のダイオード５３０ｂａが設けられている。そして、このダイオード５３０ｂａを用いて第２Ｙ側電源線５０２ａ及び第４Ｙ側電源線５０４ａのうち一方に印加された静電気を他方へ逃がす電気経路が提供される。
【０１０４】
また、単位回路５３０Ａにおいて、第１Ｙ側電源線５０１ａ及び第４Ｙ側電源線５０４ａ間には低電位側のダイオード５３０ｂｂが設けられている。そして、このダイオード５３０ｂｂを用いて第１Ｙ側電源線５０１ａ及び第４Ｙ側電源線５０４ａのうち一方に印加された静電気を他方へ逃がす電気経路が提供される。
【０１０５】
Ｙ側電源間保護回路１３５の単位回路５３０Ａにおいて、２種の高電位側のダイオード５３０ａａ及び５３０ａｂは同様の構成となっている。よって、図７において、該２種の高電位側のダイオード５３０ａａ及び５３０ａｂのうち、一方のダイオード５３０ａａのみについて、その構成を具体的に説明する。このダイオード５３０ａａは、カソード側が、高電位側の第３Ｙ側電源線５０３ａに電気的に接続されており、アノード側が低電位側の第２Ｙ側電源線５０２ａに電気的に接続されている。
【０１０６】
また、Ｙ側電源間保護回路１３５の単位回路５３０Ａにおいて、２種の低電位側のダイオード５３０ｂａ及び５３０ｂｂは同様の構成となっている。よって、図７において、該２種の低電位側のダイオード５３０ｂａ及び５３０ｂｂのうち、一方のダイオード５３０ｂａのみについて、その構成を具体的に説明する。このダイオード５３０ｂａは、カソード側が高電位側の第２Ｙ側電源線５０２ａに電気的に接続されており、アノード側が低電位側の第４Ｙ側電源線５０４ａに電気的に接続されている。
【０１０７】
第１Ｙ側電源線５０１ａに第３Ｙ側電源ＶＨＨＹより高電位の静電気が印加された場合、第１Ｙ側電源線５０１ａにアノード側が電気的に接続された高電位側のダイオード５３０ａｂによって、静電気は第３Ｙ側電源線５０３ａに放出される。また、第２Ｙ側電源線５０２ａに第３Ｙ側電源ＶＨＨＹより高電位の静電気が印加された場合についても、第１Ｙ側電源線５０１ａと同様に、第２Ｙ側電源線５０２ａにアノード側が電気的に接続された高電位側のダイオード５３０ａａによって、静電気は第３Ｙ側電源線５０３ａに放出される。
【０１０８】
さらに、第１Ｙ側電源線５０１ａに第４Ｙ側電源ＶＬＬＹより低電位の静電気が印加された場合、第１Ｙ側電源線５０１ａにカソード側が電気的に接続された低電位側のダイオード５３０ｂｂによって、静電気は第４Ｙ側電源線５０４ａに放出される。また、第２Ｙ側電源線５０２ａに第４Ｙ側電源ＶＬＬＹより低電位の静電気が印加された場合についても、第１Ｙ側電源線５０１ａと同様に、第２Ｙ側電源線５０２ａにカソード側が電気的に接続された低電位側のダイオード５３０ｂａによって、静電気は第４Ｙ側電源線５０４ａに放出される。
【０１０９】
よって、図７に示すＹ側電源間保護回路１３５によっても、図６に示すＹ側電源間保護回路１３５と同様、Ｙ側シフトレジスタ１３１の静電気に対する耐性を向上させることができるほか、液晶パネル１００の駆動時にも、走査線駆動回路１３０は、Ｙ側電源間保護回路１３５による通電の影響を殆ど受けることなく動作することができる。
【０１１０】
尚、図７に示す単位回路５３０Ａについても、４種のダイオードを夫々トランジスタを用いて構成することも可能である。この場合、４種のトランジスタは夫々、図６（ｂ）を参照して説明したトランジスタと同様に、対応する２本の電源線にダイオード接続される。
【０１１１】
また、本実施形態では、図３に示すＸ側電源間保護回路１５５を、図７を参照して説明したＹ側電源間保護回路１３５と同様の構成とすることが可能である。よって、Ｙ側と同様、Ｘ側についても、Ｘ側電源間保護回路１５５によってＸ側シフトレジスタ１５１の静電気に対する耐性を向上させることができるほか、液晶パネル１００の駆動時にも、データ線駆動回路１５０は、Ｘ側電源間保護回路１５５による通電の影響を殆ど受けることなく動作することができる。
【０１１２】
加えて、図７を参照して説明したＹ側電源間保護回路１３５及びＸ側電源間保護回路１５５によって、液晶パネル１００の静電気に対する耐性も向上させることが可能となる。
【０１１３】
次に、図８を参照して、図２に示すＹ側電源線群５１０ａ及び図３に示すＸ側電源線群５１０ｂに対して設けられた電源間保護回路によって、走査線駆動回路１３０におけるＹ側シフトレジスタ１３１及びＹ側レベルシフタ１３２と、データ線駆動回路１５０におけるＸ側シフトレジスタ１５１及びＸ側レベルシフタ１５２とを保護する構成、及びその動作について説明する。
【０１１４】
図８には、電源間保護回路が８種のダイオードを含む単位回路を含む構成を示してある。尚、図８には、図５（ａ）と同様の構成を同一の符号を付して示してあるが、この構成について説明は省略する。また、図８において、供給される電源が同等の電位である第２Ｙ側電源線５０２ａ及び第２Ｘ側電源線５０２ｂを一本の電源線として示してある。更に、第１Ｙ側電源線５０１ａ及び第１Ｘ側電源線５０１ｂについても、第２Ｙ側電源線５０２ａ及び第２Ｘ側電源線５０２ｂと同様に示してある。
【０１１５】
電源間保護回路は、Ｙ側電源線群５１０ａ及びＸ側電源線群５１０ｂにおける、高電位側の電源線に対して以下のように設けられている。第４Ｘ側電源線５０４ｂ及び第３Ｙ側電源線５０３ａ間と、第２Ｙ側電源線５０２ａ（又は第２Ｘ側電源線５０２ｂ）及び第３Ｙ側電源線５０３ａ間と、第１Ｙ側電源線５０１ａ（又は第１Ｘ側電源線５０１ｂ）及び第３Ｙ側電源線５０３ａ間と、第３Ｘ側電源線５０３ｂ及び第３Ｙ側電源線５０３ａ間とに設けられている。
【０１１６】
図８に示す単位回路５４０Ａにおいて、第４Ｘ側電源線５０４ｂ及び第３Ｙ側電源線５０３ａ間には高電位側のダイオード５４０ａａが設けられている。そして、このダイオード５４０ａａを用いて第４Ｘ側電源線５０４ｂ及び第３Ｙ側電源線５０３ａのうち一方に印加された静電気を他方へ逃がす電気経路が提供される。
【０１１７】
また、単位回路５４０Ａにおいて、第２Ｙ側電源線５０２ａ（又は第２Ｘ側電源線５０２ｂ）及び第３Ｙ側電源線５０３ａ間には高電位側のダイオード５４０ａｂが設けられている。そして、このダイオード５４０ａｂを用いて第２Ｙ側電源線５０２ａ（又は第２Ｘ側電源線５０２ｂ）及び第３Ｙ側電源線５０３ａのうち一方に印加された静電気を他方へ逃がす電気経路が提供される。
【０１１８】
また、単位回路５４０Ａにおいて、第１Ｙ側電源線５０１ａ（又は第１Ｘ側電源線５０１ｂ）及び第３Ｙ側電源線５０３ａ間には高電位側のダイオード５４０ａｃが設けられている。そして、このダイオード５４０ａｃを用いて第１Ｙ側電源線５０１ａ（又は第１Ｘ側電源線５０１ｂ）及び第３Ｙ側電源線５０３ａのうち一方に印加された静電気を他方へ逃がす電気経路が提供される。
【０１１９】
また、単位回路５４０Ａにおいて、第３Ｘ側電源線５０３ｂ及び第３Ｙ側電源線５０３ａ間には高電位側のダイオード５４０ａｄが設けられている。そして、このダイオード５４０ａｄを用いて第３Ｘ側電源線５０３ｂ及び第３Ｙ側電源線５０３ａのうち一方に印加された静電気を他方へ逃がす電気経路が提供される。
【０１２０】
電源間保護回路は、Ｙ側電源線群５１０ａ及びＸ側電源線群５１０ｂにおける、低電位側の電源線に対して以下のように設けられている。第４Ｙ側電源線５０４ａ及び第４Ｘ側電源線５０４ｂ間と、第４Ｙ側電源線５０４ａ及び第２Ｙ側電源線５０２ａ（又は第２Ｘ側電源線５０２ｂ）間と、第４Ｙ側電源線５０４ａ及び第１Ｙ側電源線５０１ａ（又は第１Ｘ側電源線５０１ｂ）間と、第４Ｙ側電源線５０４ａ及び第３Ｘ側電源線５０３ｂ間とに設けられている。
【０１２１】
図８に示す単位回路５４０Ａにおいて、第４Ｙ側電源線５０４ａ及び第４Ｘ側電源線５０４ｂ間には低電位側のダイオード５４０ｂａが設けられている。そして、このダイオード５４０ｂａを用いて第４Ｙ側電源線５０４ａ及び第４Ｘ側電源線５０４ｂのうち一方に印加された静電気を他方へ逃がす電気経路が提供される。
【０１２２】
また、単位回路５４０Ａにおいて、第４Ｙ側電源線５０４ａ及び第２Ｙ側電源線５０２ａ（又は第２Ｘ側電源線５０２ｂ）間には低電位側のダイオード５４０ｂｂが設けられている。そして、このダイオード５４０ｂｂを用いて第４Ｙ側電源線５０４ａ及び第２Ｙ側電源線５０２ａ（又は第２Ｘ側電源線５０２ｂ）のうち一方に印加された静電気を他方へ逃がす電気経路が提供される。
【０１２３】
また、単位回路５４０Ａにおいて、第４Ｙ側電源線５０４ａ及び第１Ｙ側電源線５０１ａ（又は第１Ｘ側電源線５０１ｂ）間には低電位側のダイオード５４０ｂｃが設けられている。そして、このダイオード５４０ｂｃを用いて第４Ｙ側電源線５０４ａ及び第１Ｙ側電源線５０１ａ（又は第１Ｘ側電源線５０１ｂ）のうち一方に印加された静電気を他方へ逃がす電気経路が提供される。
【０１２４】
また、単位回路５４０Ａにおいて、第４Ｙ側電源線５０４ａ及び第３Ｘ側電源線５０３ｂ間には低電位側のダイオード５４０ｂｄが設けられている。そして、このダイオード５４０ｂｄを用いて第４Ｙ側電源線５０４ａ及び第３Ｘ側電源線５０３ｂのうち一方に印加された静電気を他方へ逃がす電気経路が提供される。
【０１２５】
単位回路５４０Ａにおいて、高電位側の４種のダイオードは互いに同様の構成となっている。よって、図８において、該４種の高電位側のダイオードのうち、一つのダイオード５４０ａａのみについて、その構成を具体的に説明する。このダイオード５４０ａａは、カソード側が、高電位側の第３Ｙ側電源線５０３ａに電気的に接続されており、アノード側が低電位側の第４Ｘ側電源線５０４ｂに電気的に接続されている。
【０１２６】
また、単位回路５４０Ａにおいて、低電位側の４種のダイオードも互いに同様の構成となっている。よって、図８において、該４種の低電位側のダイオードのうち、一つのダイオード５４０ｂａのみについて、その構成を具体的に説明する。このダイオード５４０ｂａは、カソード側が、高電位側の第４Ｘ側電源線５０４ｂに電気的に接続されており、アノード側が低電位側の第４Ｙ側電源線５０４ａに電気的に接続されている。
【０１２７】
そして、第４Ｘ側電源線５０４ｂに第３Ｙ側電源ＶＨＨＹより高電位の静電気が印加された場合、第４Ｘ側電源線５０４ｂにアノード側が電気的に接続された高電位側のダイオード５４０ａａによって、静電気は第３Ｙ側電源線５０３ａに放出される。また、第２Ｙ側電源線５０２ａ（又は第２Ｘ側電源線５０２ｂ）、第１Ｙ側電源線５０１ａ（又は第１Ｘ側電源線５０１ｂ）、及び第３Ｘ側電源線５０３ｂに夫々第３Ｙ側電源ＶＨＨＹより高電位の静電気が印加された場合についても、第４Ｘ側電源線５０４ｂと同様、対応する高電位側のダイオード５４０ａｂ、５４０ａｃ及び５４０ａｄによって、静電気は第３Ｙ側電源線５０３ａに放出される。
【０１２８】
さらに、第４Ｘ側電源線５０４ｂに第４Ｙ側電源ＶＬＬＹより低電圧の静電気が印加された場合、第４Ｘ側電源線５０４ｂにカソード側が電気的に接続された低電位側のダイオード５４０ｂａによって、静電気は第４Ｙ側電源線５０４ａに放出される。また、第２Ｙ側電源線５０２ａ（又は第２Ｘ側電源線５０２ｂ）、第１Ｙ側電源線５０１ａ（又は第１Ｘ側電源線５０１ｂ）、及び第３Ｘ側電源線５０３ｂに夫々第４Ｙ側電源ＶＬＬＹより低電位の静電気が印加された場合についても、第４Ｘ側電源線５０４ｂと同様、対応する低電位側のダイオード５４０ｂｂ、５４０ｂｃ及び５４０ｂｄによって、静電気は第４Ｙ側電源線５０４ａに放出される。
【０１２９】
よって、図８に示す電源間保護回路によっても、図６及び図７に示すＹ側電源間保護回路１３５と同様、走査線駆動回路１３０におけるＹ側シフトレジスタ１３１及びＹ側レベルシフタ１３２と、データ線駆動回路１５０におけるＸ側シフトレジスタ１５１及びＸ側レベルシフタ１５２との静電気に対する耐性を向上させることができるほか、液晶パネル１００の駆動時にも、走査線駆動回路１３０及びデータ線駆動回路１５０は、電源間保護回路による通電の影響を殆ど受けることなく動作することができる。
【０１３０】
尚、図８に示す単位回路５４０Ａについても、８種のダイオードを夫々トランジスタを用いて構成することも可能である。この場合、８種のトランジスタは夫々、図６（ｂ）を参照して説明したトランジスタと同様に、対応する２本の電源線にダイオード接続される。
【０１３１】
加えて、図８を参照して説明した電源間保護回路によって、液晶パネル１００の静電気に対する耐性も向上させることが可能となる。
【０１３２】
以上説明したように、本実施形態では、静電気に対する耐性を向上させることが可能となるため、液晶装置１の製造における歩留まりを向上させ、出荷後における装置故障を防止することができる。
【０１３３】
＜５；変形例＞
次に、図９及び図１０を参照して電源間保護回路の変形例について説明する。図９には、図７を参照して説明したＹ側電源間保護回路１３５における単位回路の変形例の構成を示してあり、図１０には、図８を参照して説明した電源間保護回路における単位回路の変形例の構成を示してある。尚、図９において、図７と同様の構成には同一の符号を付して示し、この構成について説明を省略する。また、図１０においても、図８と同様の構成には同一の符号を付して示し、この構成について説明を省略する。
【０１３４】
図９において、Ｙ側電源間保護回路１３５は、図７に示す単位回路の代わりに図９に示す単位回路５５０を含む構成であってもよい。図９に示す単位回路５５０は、４種のダイオード５３０ａａ、５３０ａｂ、５３０ｂａ、及び５３０ｂｂの代わりに４つの抵抗器５５０ａａ、５５０ａｂ、５５０ｂａ、及び５５０ｂｂを用いて構成されている。
【０１３５】
より具体的には、図９において単位回路５５０は、第２Ｙ側電源線５０２ａ及び第３Ｙ側電源線５０３ａに電気的に接続された高電位側の抵抗器５５０ａａと、第１Ｙ側電源線５０１ａ及び第３Ｙ側電源線５０３ａに電気的に接続された高電位側の抵抗器５５０ａｂと、第２Ｙ側電源線５０２ａ及び第４Ｙ側電源線５０４ａに電気的に接続された低電位側の抵抗器５５０ｂａと、第１Ｙ側電源線５０１ａ及び第４Ｙ側電源線５０４ａに電気的に接続された低電位側の抵抗器５５０ｂｂとを含む構成となっている。
【０１３６】
また、単位回路５５０において、第２Ｙ側電源線５０２ａに電気的に接続された高電位側の抵抗器５５０ａａ及び低電位側の抵抗器５５０ｂａは互いに電気的に接続されており、第１Ｙ側電源線５０１ａに電気的に接続された高電位側の抵抗器５５０ａｂ及び低電位側の抵抗器５５０ｂｂは互いに電気的に接続されている。
【０１３７】
そして、第１Ｙ側電源線５０１ａに第３Ｙ側電源ＶＨＨＹより高電位の静電気が印加された場合、第１Ｙ側電源線５０１ａに電気的に接続された高電位側の抵抗器５５０ａｂによって、静電気は、第３Ｙ側電源線５０３ａ、及び低電位側の抵抗器５５０ｂｂを介して第４Ｙ側電源線５０４ａに分散されて放出される。また、第２Ｙ側電源線５０２ａに第３Ｙ側電源ＶＨＨＹより高電位の静電気が印加された場合についても、第１Ｙ側電源線５０１ａと同様に、第２Ｙ側電源線５０２ａに電気的に接続された高電位側の抵抗器５５０ａａによって、静電気は、第３Ｙ側電源線５０３ａ、及び低電位側の抵抗器５５０ｂａを介して第４Ｙ側電源線５０４ａに分散されて放出される。
【０１３８】
さらに、第１Ｙ側電源線５０１ａに第４Ｙ側電源ＶＬＬＹより低電位の静電気が印加された場合、第１Ｙ側電源線５０１ａに電気的に接続された低電位側の抵抗器５５０ｂｂによって、静電気は、高電位側の抵抗器５５０ａｂを介して第３Ｙ側電源線５０３ａ、及び第４Ｙ側電源線５０４ａに分散されて放出される。また、第２Ｙ側電源線５０２ａに第４Ｙ側電源ＶＬＬＹより低電位の静電気が印加された場合についても、第１Ｙ側電源線５０１ａと同様に、静電気は分散されて放出される。
【０１３９】
よって、Ｙ側電源間保護回路１３５の単位回路を、４種のダイオード５３０ａａ、５３０ａｂ、５３０ｂａ、及び５３０ｂｂの代わりに４つの抵抗器５５０ａａ、５５０ａｂ、５５０ｂａ、及び５５０ｂｂを用いて構成しても、図７に示すＹ側電源間保護回路１３５と同様の効果を得ることができる。尚、本実施形態では、図３に示すＸ側電源間保護回路１５５を、図９を参照して説明したＹ側電源間保護回路１３５と同様の構成とすることが可能である。
【０１４０】
また、電源間保護回路は図８に示す単位回路の代わりに図１０に示す単位回路５５２を含む構成であってもよい。図１０に示す単位回路５５２は、８種のダイオードの代わりに８つの抵抗器を用いて構成されている。
【０１４１】
図１０に示す単位回路５５２において、高電位側の４種の抵抗器は、第４Ｘ側電源線５０４ｂ及び第３Ｙ側電源線５０３ａに電気的に接続された高電位側の抵抗器５５２ａａと、第２Ｙ側電源線５０２ａ（又は第２Ｘ側電源線５０２ｂ）及び第３Ｙ側電源線５０３ａに電気的に接続された高電位側の抵抗器５５２ａｂと、第１Ｙ側電源線５０１ａ（又は第１Ｘ側電源線５０１ｂ）及び第３Ｙ側電源線５０３ａに電気的に接続された高電位側の抵抗器５５２ａｃと、第３Ｘ側電源線５０３ｂ及び第３Ｙ側電源線５０３ａに電気的に接続された高電位側の抵抗器５５２ａｄとにより構成されている。
【０１４２】
また、単位回路５４０Ａにおいて、低電位側の４種の抵抗器は、第４Ｙ側電源線５０４ａ及び第４Ｘ側電源線５０４ｂに電気的に接続された低電位側の抵抗器５５２ｂａと、第４Ｙ側電源線５０４ａ及び第２Ｙ側電源線５０２ａ（又は第２Ｘ側電源線５０２ｂ）に電気的に接続された低電位側の抵抗器５５２ｂｂと、第４Ｙ側電源線５０４ａ及び第１Ｙ側電源線５０１ａ（又は第１Ｘ側電源線５０１ｂ）に電気的に接続された低電位側の抵抗器５５２ｂｃと、第４Ｙ側電源線５０４ａ及び第３Ｘ側電源線５０３ｂに電気的に接続された低電位側の抵抗器５５２ｂｄとにより構成されている。
【０１４３】
更に、第４Ｘ側電源線５０４ｂに電気的に接続された高電位側の抵抗器５５２ａａと、低電位側の抵抗器５５２ｂａとは互いに電気的に接続されており、第２Ｙ側電源線５０２ａ（又は第２Ｘ側電源線５０２ｂ）に電気的に接続された高電位側の抵抗器５５２ａｂと、低電位側の抵抗器５５２ｂｂとは互いに電気的に接続されており、第１Ｙ側電源線５０１ａ（又は第１Ｘ側電源線５０１ｂ）に電気的に接続された高電位側の抵抗器５５２ａｃと、低電位側の抵抗器５５２ｂｃとは互いに電気的に接続されており、第３Ｘ側電源線５０３ｂに電気的に接続された高電位側の抵抗器５５２ａｄと、低電位側の抵抗器５５２ｂｄとは互いに電気的に接続されている。
【０１４４】
そして、第４Ｘ側電源線５０４ｂに第３Ｙ側電源ＶＨＨＹより高電位の静電気が印加された場合、第４Ｘ側電源線５０４ｂに電気的に接続された高電位側の抵抗器５５２ａａによって、静電気は、第３Ｙ側電源線５０３ａ、及び低電位側の抵抗器５５２ｂａを介して第４Ｙ側電源線１０４ａに分散されて放出される。また、第２Ｙ側電源線５０２ａ（又は第２Ｘ側電源線５０２ｂ）、第１Ｙ側電源線５０１ａ（又は第１Ｘ側電源線５０１ｂ）、及び第３Ｘ側電源線５０３ｂに夫々第３Ｙ側電源ＶＨＨＹより高電位の静電気が印加された場合についても、第４Ｘ側電源線５０４ｂと同様、対応する高電位側の抵抗器５５２ａｂ、５５２ａｃ及び５５２ａｄによって、静電気は第３Ｙ側電源線５０３ａ及び第４Ｙ側電源線１０４ａに分散されて放出される。
【０１４５】
さらに、第４Ｘ側電源線５０４ｂに第４Ｙ側電源ＶＬＬＹより低電位の静電気が印加された場合、第４Ｘ側電源線５０４ｂに電気的に接続された低電位側の抵抗器５５２ｂａによって、静電気は、高電位側の抵抗器５５２ａａを介して第３Ｙ側電源線５０３ａ、及び第４Ｙ側電源線５０４ａに分散されて放出される。また、第２Ｙ側電源線５０２ａ（又は第２Ｘ側電源線５０２ｂ）、第１Ｙ側電源線５０１ａ（又は第１Ｘ側電源線５０１ｂ）、及び第３Ｘ側電源線５０３ｂに夫々第４Ｙ側電源ＶＬＬＹより低電位の静電気が印加された場合についても、第４Ｘ側電源線５０４ｂと同様、対応する低電位側の抵抗器５５２ｂｂ、５５２ｂｃ及び５５２ｂｄによって、静電気は第３Ｙ側電源線５０３ａ及び第４Ｙ側電源線５０４ａに分散されて放出される。
【０１４６】
従って、電源間保護回路の単位回路を、８種のダイオードの代わりに８つの抵抗器を用いて構成する場合についても、図８に示す電源間保護回路と同様の効果を得ることができる。
【０１４７】
本変形例では、図９又は図１０に示す単位回路を構成する各抵抗器の抵抗値は、次のような値に調整されるのが好ましい。抵抗器と対応する２本の電源線間に流れる電流値が、供給される電源として消費される電流値の１０％以下となるように設定されているように構成してもよい。
【０１４８】
このように構成すれば、電源間保護回路を抵抗器を含む構成としても、駆動回路１２０における駆動時の動作の妨げにならない。具体的には、電源線における電圧変化（高電位側の電圧降下、低電位側の電圧上昇）によって、走査線駆動回路１３０におけるＹ側シフトレジスタ１３１及びＹ側レベルシフタ１３２、或いはデータ線駆動回路１５０におけるＸ側シフトレジスタ１５１及びＸ側レベルシフタ１５２に対する電流異常とならない。
【０１４９】
＜６；液晶装置の全体構成＞
以上のように構成された液晶装置１の全体構成について図１１及び図１２を参照して説明する。ここに、図１１は、ＴＦＴアレイ基板１０をその上に形成された各構成要素と共に対向基板２０の側から見た平面図であり、図１２は、図１１のＨ−Ｈ’断面図である。
【０１５０】
図１１及び図１２において、ＴＦＴアレイ基板１０の上には、複数の画素電極１１８により規定される画像表示領域（即ち、実際に液晶層５０の配向状態変化により画像が表示される液晶装置の領域）１１０の周囲において両基板を貼り合わせて液晶層５０を包囲する光硬化性樹脂からなるシール材５２が、画像表示領域１１０に沿って設けられている。そして、対向基板２０上における画像表示領域１１０とシール材５２との間には、遮光性の額縁遮光膜５３が設けられている。遮光性の額縁遮光膜５３や遮光層２３をＴＦＴアレイ基板１０上に形成しても良い。
【０１５１】
画像表示領域１１０の左右２辺に沿った部分には、走査線駆動回路１３０が両側に設けられている。ここで、走査線１１２の駆動遅延が問題にならないような場合、走査線駆動回路１３０は走査線１１２に対して片側のみに形成しても良い。
【０１５２】
シール材５２の外側の領域には、画像表示領域１１０の下辺に沿って、データ線駆動回路１５０及び外部からの信号入力等を行う外部回路接続用端子１０２が設けられており、画像表示領域１１０の左右の２辺に沿って走査線駆動回路１３０が画像表示領域１１０の両側に設けられている。ここで、データ駆動回路１５０を画像表示領域１１０の上下の２辺に沿って両側に設けても良い。この際、例えば一方のデータ線駆動回路１５０には奇数列のデータ線を電気的に接続し、もう一方のデータ線駆動回路１５０には偶数列のデータ線を電気的に接続することで、上下から櫛歯状に駆動するようにしても良い。更に画像表示領域１１０の上辺には、走査線駆動回路１３０に電源や駆動信号を供給するための複数の配線１０５が設けられている。また、対向基板２０のコーナー部の少なくとも一箇所で、ＴＦＴアレイ基板１０と対向基板２０との間で電気的導通をとるための上下導通材１０６が設けられている。そして、シール材５２とほぼ同じ輪郭を持つ対向基板２０が当該シール材５２によりＴＦＴアレイ基板１０に固着されている。
【０１５３】
また、上述した実施形態においては、データ線駆動回路１５０及び走査線駆動回路１３０に対して、クロック信号あるいは画像信号等を出力する外部制御回路を、液晶装置の外部に設けた場合について説明したが、本発明はこれに限られるものではなく、当該制御回路を液晶装置内に設けるようにしても良い。
特に、クロック信号については、クロック信号のみを外部制御回路から供給させ、液晶装置用基板上で逆位相クロック信号を生成する回路を設けるように構成しても良い。
【０１５４】
以上に説明した液晶装置１は、カラー液晶プロジェクタ等に適用することができるが、この場合には、３つの液晶装置１がＲＧＢ用のライトバルブとして夫々用いられ、各パネルには夫々ＲＧＢ色分解用のダイクロイックミラーを介して分解された各色の光が入射光として夫々入射されることになる。従って、上述した実施の形態では、対向基板２０に、カラーフィルタは設けられていない。しかしながら、液晶装置１においても遮光層２３の形成されていない画素電極１１８に対向する所定領域にＲＧＢのカラーフィルタをその保護膜と共に、対向基板２０上に形成してもよい。このようにすれば、液晶プロジェクタ以外の直視型や反射型のカラー液晶テレビなどのカラー液晶装置に本実施の形態の液晶装置を適用できる。
【０１５５】
また、液晶装置１に用いるスイッチング素子は、正スタガ型又はコプラナー型のポリシリコンＴＦＴでも良いし、逆スタガ型のＴＦＴやアモルファスシリコンＴＦＴ等の他の形式のＴＦＴに対しても、本実施の形態は有効である。
更に、液晶装置１においては、一例として液晶層５０をネマティック液晶から構成したが、液晶を高分子中に微小粒として分散させた高分子分散型液晶を用いれば、配向膜、並びに前述の偏光フィルム、偏光板等が不要となり、光利用効率が高まることによる液晶装置の高輝度化や低消費電力化の利点が得られる。
【０１５６】
＜７；電子機器＞
次に、上述した液晶装置１を各種の電子機器に適用される場合について説明する。
【０１５７】
＜７−１：プロジェクタ＞
まず、この液晶装置１をライトバルブとして用いたプロジェクタについて説明する。図１３は、プロジェクタの構成例を示す平面図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【０１５８】
液晶パネル１１１０Ｒ、１１１０Ｂおよび１１１０Ｇの構成は、上述した液晶パネル１００と同等であり、画像信号処理回路３００から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１５９】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【０１６０】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１６１】
＜７−２：モバイル型コンピュータ＞
次に、この液晶パネルを、モバイル型のパーソナルコンピュータに適用した例について説明する。図１４は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【０１６２】
＜７−３；携帯電話＞
さらに、この液晶パネルを、携帯電話に適用した例について説明する。図１５は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【０１６３】
尚、図１３〜図１５を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１６４】
本発明は、上述した実施形態に限られるものではなく、請求の範囲及び明細書全体から読み取れる発明の要旨或いは思想に反しない範囲で適宜変更可能であり、そのような変更を伴う駆動回路及びその保護方法、並びに該駆動回路を備えた電気光学装置及び電子機器もまた本発明の技術的範囲に含まれるものである。
【図面の簡単な説明】
【０１６５】
【図１】本発明の実施形態に係る液晶装置の全体構成を示すブロック図である。
【図２】本発明の実施形態に係る走査線駆動回路の構成を示すブロック図である。
【図３】本発明の実施形態に係るデータ線駆動回路の構成を示すブロック図である。
【図４】本発明の実施形態に係る駆動回路のレイアウトを概略的に示す図である。
【図５】図５（ａ）は本発明の実施形態に係るＹ側入力保護回路１３３と、Ｙ側出力保護回路１３４ａ及び１３４ｂにおける電気経路の構成の一例を示す回路図であって、図５（ｂ）は該電気経路の他の構成例を示す回路図である。
【図６】図６（ａ）は本発明の実施形態に係るＹ側電源間保護回路１３５における電気経路の構成の一例を示す回路図であって、図６（ｂ）は該電気経路の他の構成例を示す回路図である。
【図７】本発明の実施形態に係るＹ側電源間保護回路１３５における単位回路の構成例を示す回路図である。
【図８】本発明の実施形態に係る電源間保護回路における単位回路の構成例を示す回路図である。
【図９】図７に示す単位回路の変形例を示す回路図である。
【図１０】図８に示す単位回路の変形例を示す回路図である。
【図１１】液晶装置の全体構成を示す平面図である。
【図１２】図１１のＨ−Ｈ’断面図である。
【図１３】液晶装置を適用した電子機器の一例たるプロジェクタの構成を示す断面図である。
【図１４】液晶装置を適用した電子機器の一例たるパーソナルコンピュータの構成を示す断面図である。
【図１５】液晶装置を適用した電子機器の一例たる携帯電話の構成を示す断面図である。
【符号の説明】
【０１６６】
１３１…Ｙ側シフトレジスタ、１３２…Ｙ側レベルシフタ、１３３…Ｙ側入力保護回路、１３４ａ及び１３４ｂ…Ｙ側出力保護回路、１３５…Ｙ側電源間保護回路、５１０ａ…Ｙ側電源線群、１５１…Ｘ側シフトレジスタ、１５２…Ｘ側レベルシフタ、１５３…Ｘ側入力保護回路、１５４ａ及び１５４ｂ…Ｘ側出力保護回路、１５５…Ｘ側電源間保護回路、５１０ｂ…Ｘ側電源線群
【図１】
2005049637.tif 000003
【図２】
2005049637.tif 000004
【図３】
2005049637.tif 000005
【図４】
2005049637.tif 000006
【図５】
2005049637.tif 000007
【図６】
2005049637.tif 000008
【図７】
2005049637.tif 000009
【図８】
2005049637.tif 000010
【図９】
2005049637.tif 000011
【図１０】
2005049637.tif 000012
【図１１】
2005049637.tif 000013
【図１２】
2005049637.tif 000014
【図１３】
2005049637.tif 000015
【図１４】
2005049637.tif 000016
【図１５】
2005049637.tif 000017